(57)【要約】【課題】ジョブを効率的に処理することができ、且つユーザの使い勝手を向上できる画像形成装置およびジョブ管理方法を提供する。【解決手段】  画像形成装置１００は、紙種情報取得手段と、紙種情報に基づいて、ジョブが現在装填されている転写紙で出力可能か否かを判断する判断手段と、制御手段とを備え、出力する際に、制御手段は、判断手段により現在装填されている転写紙で出力可能と判断されたジョブを通知すると共に、現在装填されている転写紙で出力できないジョブの順序を出力可能なジョブの後に変更するように制御する。例えば、「確認」ボタンが押された場合、現在装填されている転写紙で出力可能なジョブを表示するようになされる。また、「集約」ボタンが押された場合、実行可能なジョブを集約して出力順序を先頭に、即ち現在装填されている転写紙で出力できないジョブの順序を出力可能なジョブの後に変更するようになされる。【選択図】        図１１
2006033066.tif 000002
【特許請求の範囲】
【請求項１】
ジョブを登録する登録手段と、前記登録手段により登録された複数のジョブを記憶する記憶手段とを有し、登録された前記ジョブを所定の順序で実行し、記録用紙に画像を形成する画像形成装置において、
現在装填されている用紙の紙種情報を取得する紙種情報取得手段と、
前記紙種情報取得手段により取得した紙種情報に基づいて、前記ジョブが現在装填されている用紙で出力可能なジョブであるか否かを判断する判断手段と、
前記記憶手段に記憶されたジョブを管理すると共に、登録されたジョブを所定の順序で実行するように制御する制御手段とを備え、
前記制御手段は、
前記判断手段により現在装填されている用紙で出力可能と判断されたジョブを通知すると共に、現在装填されている用紙で出力できないジョブの順序を出力可能なジョブの後に変更するように制御する
ことを特徴とする画像形成装置。
【請求項２】
現在装填されている用紙で出力可能なジョブを表示させる指示を入力する第１の入力手段をさらに備え、
前記制御手段は、前記第１の入力手段により表示指示が入力された場合、前記出力可能なジョブを表示するように制御する
ことを特徴とする請求項１に記載の画像形成装置。
【請求項３】
現在装填されている用紙で出力可能なジョブを集約する指示を入力する第２の入力手段をさらに備え、
前記制御手段は、前記第２の入力手段により集約指示が入力された場合、現在装填されている用紙で出力可能なジョブを集約し、優先順位を先頭にするように制御する
ことを特徴とする請求項１および請求項２のいずれかに記載の画像形成装置。
【請求項４】
前記制御手段は、
現在装填されている用紙で出力可能なジョブを操作部の表示画面に表示させて通知する
ことを特徴とする請求項１に記載の画像形成装置。
【請求項５】
前記制御手段は、
現在装填されている用紙で出力可能なジョブを接続される外部装置の表示画面に表示させて通知する
ことを特徴とする請求項１に記載の画像形成装置。
【請求項６】
ジョブを登録する登録手段と、前記登録手段により登録された複数のジョブを記憶する記憶手段とを有し、登録された前記ジョブを所定の順序で実行し、記録用紙に画像を形成する画像形成装置におけるジョブ管理方法であって、
現在装填されている用紙の紙種情報を取得する紙種情報取得ステップと、
前記紙種情報取得ステップで取得した紙種情報に基づいて、前記ジョブが現在装填されている用紙で出力可能なジョブであるか否かを判断する判断ステップと、
前記判断ステップで出力可能と判断されたジョブを通知する通知ステップと、
現在装填されている用紙で出力できないジョブの順序を出力可能なジョブの後に変更する順序変更ステップと
を備えることを特徴とするジョブ管理方法。
【請求項７】
前記通知ステップでは、
表示指示が入力された場合、前記出力可能なジョブを通知する指示が入力された場合、前記出力可能なジョブを表示し、
前記順序変更ステップでは、
前記出力可能なジョブを集約する指示が入力された場合、現在装填されている用紙で出力できないジョブの順序を出力可能なジョブの後に変更する
ことを特徴とする請求項６に記載のジョブ管理方法。
【発明の詳細な説明】
【技術分野】
【０００１】
本発明は、登録された複数のジョブ（ＪＯＢ）を所定の順序で実行し、記録用紙に画像を形成する複写機、複合機、プリンタ等に適用して好適な画像形成装置およびジョブ管理方法に関するものである。
【背景技術】
【０００２】
従来、画像形成装置において、現在実行可能なジョブを外部装置に通知し、外部装置からジョブの実行順序の変更や実行の取消し、さらに、実行の優先順位を設定できる画像形成システムが提案されている（例えば、特許文献１参照）。
【０００３】
この場合、外部装置が接続され、複数のジョブを受け付ける画像形成システムにおいて、複数のジョブの内、現在実行可能なジョブを通知する第１の通知手段と、現在実行可能なジョブの実行形態を変更する手段と、実行形態変更後の実行可能なジョブを通知する第２の通知手段とを備えるようになされる。
【０００４】
【特許文献１】特開平７−２９５７６７号公報（第２，３頁）
【発明の開示】
【発明が解決しようとする課題】
【０００５】
しかしながら、上述した特許文献１の場合は、現在実行可能なジョブの表示、および順序入れ替えを行うことは可能であるが、現在実行可能であるが、実行するには段取り替えを必要とするジョブとそうでないジョブとを区別することはできず、ジョブ切り替わり時に段取り替えを必要とするジョブも実行可能と判断されるため、結果としてジョブの切り替わり時に、段取り替えのための時間を要し、ジョブを効率的に処理できないという問題点があった。
【０００６】
そこで、本発明は、ジョブを効率的に処理することができ、且つユーザの使い勝手を向上することができるようにした画像形成装置およびジョブ管理方法を提供することを目的とする。
【課題を解決するための手段】
【０００７】
本発明に係わる画像形成装置は、ジョブを登録する登録手段と、この登録手段により登録された複数のジョブを記憶する記憶手段とを有し、登録されたジョブを所定の順序で実行し、記録用紙に画像を形成する画像形成装置において、現在装填されている用紙の紙種情報を取得する紙種情報取得手段と、紙種情報取得手段により取得した紙種情報に基づいて、ジョブが現在装填されている用紙で出力可能なジョブであるか否かを判断する判断手段と、記憶手段に記憶されたジョブを管理すると共に、登録されたジョブを所定の順序で実行するように制御する制御手段とを備え、この制御手段は、判断手段により現在装填されている用紙で出力可能と判断されたジョブを通知すると共に、現在装填されている用紙で出力できないジョブの順序を出力可能なジョブの後に変更するように制御するものである。
【０００８】
本発明においては、現在装填されている用紙の紙種情報を取得する紙種情報取得手段と、取得した紙種情報に基づいて、ジョブが現在装填されている用紙で出力可能か否かを判断する判断手段と、制御手段とを備え、この制御手段は、判断手段により現在装填されている用紙で出力可能と判断されたジョブを通知すると共に、現在装填されている用紙で出力できないジョブの順序を出力可能なジョブの後に変更するようになされる。
【０００９】
例えば、現在装填されている用紙で出力可能なジョブを表示させる指示を入力する第１の入力手段をさらに備え、制御手段は、第１の入力手段により表示指示が入力された場合、出力可能なジョブを表示するように制御する。
【００１０】
また、現在装填されている用紙で出力可能なジョブを集約する指示を入力する第２の入力手段をさらに備え、制御手段は、第２の入力手段により集約指示が入力された場合、現在装填されている用紙で出力可能なジョブを集約し、優先順位を先頭にするように制御する。
【００１１】
これにより、ユーザにジョブの入れ替えの目安を示すことで、ユーザが実行可能なジョブを確認でき、また、現在装填されている用紙で出力できないジョブの順序を出力可能なジョブの後に変更することで、ジョブを効率的に処理することが可能となる。
【００１２】
また、第１の入力手段により表示指示が入力された場合、出力可能なジョブを表示し、ジョブの集約指示が入力された場合、現在装填されている用紙で出力できないジョブの順序を出力可能なジョブの後に変更することで、ユーザの使い勝手を向上することが可能となる。
【００１３】
また、現在装填されている用紙で出力可能なジョブを操作部、または接続される外部装置の表示画面に表示させて通知するため、ユーザが実行可能なジョブを容易に確認することが可能となる。
【００１４】
本発明に係わるジョブ管理方法は、ジョブを登録する登録手段と、この登録手段により登録された複数のジョブを記憶する記憶手段とを有し、登録されたジョブを所定の順序で実行し、記録用紙に画像を形成する画像形成装置におけるジョブ管理方法であって、現在装填されている用紙の紙種情報を取得する紙種情報取得ステップと、この紙種情報取得ステップで取得した紙種情報に基づいて、ジョブが現在装填されている用紙で出力可能なジョブであるか否かを判断する判断ステップと、この判断ステップで出力可能と判断されたジョブを通知する通知ステップと、現在装填されている用紙で出力できないジョブの順序を出力可能なジョブの後に変更する順序変更ステップとを備えることを特徴とするものである。
【００１５】
これにより、ユーザにジョブの入れ替えの目安を示すことで、ユーザが実行可能なジョブを確認でき、また、現在装填されている用紙で出力できないジョブの順序を出力可能なジョブの後に変更することで、ジョブを効率的に処理することが可能となる。
【００１６】
また、表示指示が入力された場合、出力可能なジョブを表示し、ジョブの集約指示が入力された場合、現在装填されている用紙で出力できないジョブの順序を出力可能なジョブの後に変更することで、ユーザの使い勝手を向上することが可能となる。
【発明の効果】
【００１７】
本発明に係わる画像形成装置およびジョブ管理方法によれば、現在装填されている用紙の紙種情報を取得する紙種情報取得手段と、紙種情報取得手段により取得した紙種情報に基づいて、ジョブが現在装填されている用紙で出力可能なジョブであるか否かを判断する判断手段と、記憶手段に記憶されたジョブを管理すると共に、登録されたジョブを所定の順序で実行するように制御する制御手段とを備え、この制御手段は、判断手段により現在装填されている用紙で出力可能と判断されたジョブを通知すると共に、現在装填されている用紙で出力できないジョブの順序を出力可能なジョブの後に変更するように制御する。
【００１８】
この構成によって、ユーザにジョブの入れ替えの目安を示すことで、ユーザが実行可能なジョブを確認でき、また、現在装填されている用紙で出力可能なジョブの順序を先頭に変更することで、ジョブを効率的に処理することができる。
【発明を実施するための最良の形態】
【００１９】
以下、図面を参照しながら、本発明の実施の形態の画像形成装置およびジョブ管理方法について説明する。
【００２０】
図１は、本発明の実施の形態の画像形成装置１００の構成の一例を示す図である。
図１に示す画像形成装置１００は、所定のプログラム情報に基づいて画像を形成する装置であり、登録された複数のジョブを所定の順序で実行し、記録用紙（以下転写紙という）に白黒画像を形成する複写機、プリンタ、これらの複合機等に適用して好適である。この例で、画像形成装置１００はモノクロ画像を得る直接転写方式の複合機等を構成するものであり、装置本体Ａを有している。もちろん、装置本体Ａに後処理装置９０を連結して使用してもよい。この装置本体Ａ内には給紙トレイ３０ａ、３０ｂ、原稿読取手段１１、制御手段１５、書き込み処理部６０及び、画像形成部７０等が備えられる。
【００２１】
この装置本体Ａの上部には自動原稿給紙装置（ＡＤＦ）４０が取り付けられており、任意の原稿２０を自動給紙するように動作する。例えば、ＡＤＦ４０は原稿載置部４１、ローラ４２ａ、ローラ４２ｂ、ローラ４３、搬送ローラ４４及び排紙皿４６を有している。原稿載置部４１には一又は複数の原稿２０が載置される。原稿載置部４１の下流側にはローラ４２ａ及び４２ｂが設けられ、自動給紙モードが選択されたとき、原稿載置部４１から繰り出された原稿２０は下流側のローラ４３によってＵ字回転するように搬送される。なお、自動給紙モードが設定された場合、原稿２０の記録面は原稿載置部４１で上に向けて載置するようになされる。
【００２２】
一方、本体装置内には、原稿読取手段１１が設けられている。原稿読取手段１１には縮小型イメージセンサが使用される。また、原稿読取手段１１では、例えば、原稿２０がローラ４３によってＵ字状に反転するときに、その原稿２０の表面を読み取って原稿表面の画像データ（以下原稿画像データＤinという）を出力するようになされる。
【００２３】
原稿読取手段１１は第１のプラテンガラス５１、第２のプラテンガラス（ＡＤＦガラス）５２、光源５３、ミラー５４、５５、５６、結像光学部５７、ＣＣＤ撮像装置５８及び図示しない光学駆動部を有している。原稿読取手段１１で読み取られた原稿２０は、搬送ローラ４４により搬送されて排紙皿４６へ排紙される。
【００２４】
原稿読取手段１１には、縮小型イメージセンサを構成するＣＣＤ撮像装置５８が備えられ、このＣＣＤ撮像装置５８の出力段には制御手段１５が接続され、制御手段１５で画像処理した後の原稿画像データＤinが画像形成部（画像形成手段）７０に出力される。画像形成部７０では例えば、給紙トレイ３０ａ又は３０ｂのいずれか１つから繰り出された転写紙３０に画像を形成するようになされる。画像形成部７０は有機感光体ドラム（以下感光体ドラムという）７１、帯電部７２、現像部７３、転写部７４、分離部７５、クリーニング部７６、搬送機構７７及び定着部７８を有している。
【００２５】
この感光体ドラム７１の上方には帯電部７２が配設され、所定の帯電電位に基づいて予め感光体ドラム７１が一様に帯電される。感光体ドラム７１の例えば斜め右上方には書き込み処理部６０が設けられ、画像処理後の原稿画像データＤinに基づく所定強度のレーザ光が照射され感光体ドラム７１が露光され、その感光体ドラム７１上に静電潜像が形成される。
【００２６】
感光体ドラム７１の右側にはトナー及びキャリア（現像剤）が収容された現像部７３が配設され、書き込み処理部６０によって露光された静電潜像はトナーによって現像される。この現像部７３の下方にはレジストローラ６２や給紙トレイ３０ａ及び３０ｂ等が設けられる。装置本体Ａの右側には手差しトレイ６３が取り付けられている。給紙トレイ３０ａ及び３０ｂや、手差しトレイ６３等にセットされた転写紙３０は給紙制御によって、搬送ローラ６１、レジストローラ６２等を経て感光体ドラム７１下に搬送される。
【００２７】
感光体ドラム７１の下方には転写部７４が配設され、帯電、露光、現像を経てその感光体ドラム７１上に形成されたトナー像が、レジストローラ６２により搬送タイミング制御される転写紙３０に転写される。この転写部７４に隣接して分離部７５が設けられ、トナー像を転写した転写紙３０が感光体ドラム７１から分離される。この分離部７５の下流側には搬送機構部７７が設けられ、その終端部には定着部７８が設けられる。定着部７８は転写紙３０に転写されたトナー像を定着する。搬送機構部７７と上述の帯電部７２との間であって、感光体ドラム７１に対向してクリーニング部７６が設けられ、感光体ドラム７１に残留したトナーがクリーニングされる。
【００２８】
この例で両面コピーが選択されると、一方の転写紙面（表面）に画像形成され、定着部７８から排出された転写紙３０の裏面にも画像が形成される。定着部７８から排出された転写紙３０は分岐手段９１によりシート排紙路から分岐され、それぞれ給紙手段２３を構成する下方の反転ローラ９２や、反転部９３等により表裏を反転され、反転後の転写紙３０は反転搬送路９４を通過して給紙ローラ６１の手前において通常の給紙路と合流する。
【００２９】
ここで反転搬送された転写紙３０は、レジストローラ６２を経て、再度、転写部７４に搬送され、転写紙３０の他方の面（裏面）上にトナー像が転写される。トナー像が転写された転写紙３０は、定着部７８により定着処理され、排紙ローラ９５に挟持されて機外の排紙トレイ９６等に排紙される。上述の処理で画像形成が完了した転写紙３０は排紙トレイ９６に限られることはなく、後処理装置９０によってステープル処理や綴じ込み処理等を行われる場合もある。
【００３０】
図２は画像形成装置１００の制御系の構成例を示すブロック図である。
図２に示す画像形成装置１００は、所定のプログラム情報に基づいて画像を形成する装置であり、原稿読取手段１１、制御手段１５、画像処理手段２１、操作部４８及び画像形成部７０を有している。
【００３１】
図２において、原稿読取手段（スキャナ）１１は制御手段１５に接続される。制御手段１５で画像処理した後の原稿画像データＤinは画像形成部７０に出力される。
【００３２】
画像処理手段２１はプリント＆スキャナコントローラを構成し、ＬＡＮ制御部１２、ＤＲＡＭ制御ＩＣ１３、画像メモリ１６及びコントローラ制御部１７を有している。画像処理手段２１は、ＰＣＩバス１９を通じて制御手段１５に接続される。
【００３３】
ＬＡＮ制御部１２は、当該画像形成装置１００をプリンタとして使用する場合や、プログラム書き換え時等において、外部の情報処理機器との間の通信制御を実行する。
【００３４】
ＬＡＮ制御部１２にはＤＲＡＭ制御ＩＣ１３が接続され、ＤＲＡＭ制御ＩＣ１３には画像メモリ１６及びコントローラ制御部１７が接続される。画像メモリ１６には、プリントモード時やプログラム書き換え時等において、外部のコンピュータ等から取り込んだプリントデータ等がコントローラ制御部１７及びＤＲＡＭ制御ＩＣ１３の制御を受けて記憶される。
【００３５】
制御手段１５は、画像メモリ１６からプリントデータを読み出して画像処理をする。制御手段１５は、原稿読取手段１１、画像処理手段２１及び画像形成部７０、操作部４８を接続して使用される。
【００３６】
原稿読取手段１１は、図１で説明したＣＣＤ撮像装置５８の他に、スキャナ制御部５９を備えている。スキャナ制御部５９はＣＣＤ撮像装置５８の入出力を制御する。例えば、スキャナ制御部５９は、自動給紙モードが選択されたとき、図１に示した原稿載置部４１から繰り出された原稿２０を下流側のローラ４３によってＵ字回転するように搬送制御する。ＣＣＤ撮像装置５８は、原稿２０がローラ４３によってＵ字状に反転するときに、その原稿２０の表面を読み取って原稿表面の画像情報を読み取るようになされる。ＣＣＤ撮像装置５８から得られたアナログ画像取得信号はアナログ・デジタル変換されてデジタルの原稿画像データＤinとなる。
【００３７】
図２において、制御手段１５は、読み取り処理部３１、圧縮ＩＣ３２、画像メモリ（ＤＲＡＭ）３３、不揮発メモリ３４、ＤＲＡＭ制御ＩＣ３５、伸長ＩＣ３８、書き込み処理部６０を有している。上述の原稿画像データＤinは読み取り処理部３１に出力される。読み取り処理部３１は原稿読取手段１１及びＰＣＩバス１９に接続される。読み取り処理部３１では、原稿読取手段１１から転送されてきた原稿画像データＤinを読み取り処理するようになされる。読み取り処理部３１には圧縮ＩＣ３２が接続され、原稿画像データＤinを圧縮して符号化するようになされる。圧縮符号化後の原稿画像データＤinは圧縮画像データとなる。
【００３８】
圧縮ＩＣ３２には、ＤＲＡＭ制御ＩＣ３５を通じて画像メモリ３３が接続される。画像メモリ３３はＤＲＡＭから構成され、圧縮メモリ３６及びページメモリ３７を有している。この画像メモリ３３は登録された複数のジョブを記憶する記憶手段として機能する。圧縮メモリ３６にはＤＲＡＭ制御ＩＣ３５のメモリ制御を受けて、圧縮画像データが格納される。また、ＤＲＡＭ制御ＩＣ３５には伸長ＩＣ３８が接続され、画像形成時に、圧縮画像データを伸長復号化するようになされる。伸長復号化後の画像データは原稿画像データＤinとなる。伸長復号化後の原稿画像データＤinは、ページメモリ３７に格納される。また、ＤＲＡＭ制御ＩＣ３５は、ジョブエンドを検出する検出手段としても機能する。
【００３９】
ページメモリ３７から読み出された原稿画像データＤinに基づいてレーザ駆動信号Ｓoutが生成される。レーザ駆動信号Ｓoutは、画像形成部７０に出力される。なお、伸長ＩＣ３８に書き込み処理部６０を接続し、ページメモリ３７を介さずに直接、伸長復号化後の原稿画像データＤinを書き込み処理部６０に供給してもよい。
【００４０】
また、図２に示す制御手段１５には操作部４８が接続される。この操作部４８は、ジョブ登録手段の一例であり、コピー枚数や画像濃度、転写紙の種類等の画像形成条件の設定、給紙トレイ３０ａや３０ｂ等の１つを選択する際に、またはジョブ登録する際に操作される。
【００４１】
操作部４８には図示しない操作パネルの他にＬＣＤ（液晶表示装置）１８が備えられ、転写紙３０のサイズや、コピー枚数、画像濃度等の画像形成条件を表示するように動作する。操作部４８は、ＬＣＤ１８上にタッチパネルが組み合わされ、ＧＵＩ（Graphic User Interface）方式の操作パネルが構成される。操作部４８はＬＣＤ１８の他に操作部制御部１４を備えている。操作部制御部１４はＬＣＤ１８の表示制御を行う。
【００４２】
更に、操作部４８は、現在装填されている転写紙３０で出力可能なジョブを表示させる指示を入力する第１の入力手段と、現在装填されている転写紙３０で出力可能なジョブを集約する指示を入力する第２の入力手段としても機能する。第１の入力手段により表示指示が入力された場合、出力可能なジョブを表示するようになされる。また、第２の入力手段により集約指示が入力された場合、現在装填されている転写紙３０で出力可能なジョブを集約し、優先順位を先頭にするようになされる。
【００４３】
上述の操作部４８により入力された操作データＤ３は、不揮発メモリ３４に登録するようになされる。
【００４４】
図２に示す画像形成部７０は、レーザーダイオード（ＬＤ）６４及びプリンタ制御部６５を備えており、上述の操作部４８により設定された内容に基づいて画像を形成するように動作する。
【００４５】
レーザーダイオード（ＬＤ）６４はレーザ駆動信号Ｓoutに基づいてレーザ光を発生する。当該レーザ光は書き込み処理部６０の走査機構によって感光体ドラム上に走査される。この走査により感光体ドラム上に静電潜像が形成される。静電潜像は画像形成部７０でトナー現像され、所望の転写紙３０にトナー像が転写される。プリンタ制御部６５は、画像処理後の原稿画像データ又はプリントデータを画像形成部７０に出力して画像形成制御をする。
【００４６】
更に、制御手段１５は、バックアップ制御部８１、通信制御部８２、フラッシュメモリ８３、大容量ＤＩＳＫ（ＨＤＤ）８４、画像制御ＣＰＵ８５を有している。上述のＤＲＡＭ制御ＩＣ３５には画像制御ＣＰＵ８５が接続される。画像制御ＣＰＵ８５には更に上述した不揮発メモリ３４が接続されると共に、バックアップ制御部８１が接続される。バックアップ制御部８１は、プログラム書き換え時の旧バージョンのプログラムデータＤｐ’を不揮発メモリ３４にバックアップするときや、上述の操作部４８により入力された操作データＤ３を登録する際に、不揮発メモリ３４の書き込み読み出しを制御するようになされる。
【００４７】
画像制御ＣＰＵ８５には、ＥＥＰＲＯＭ等のフラッシュメモリ８３が接続され、画像形成部７０を動作させるプログラムデータＤｐを記憶するようになされる。フラッシュメモリ８３にはプログラムデータＤｐの一例となる、当該画像形成装置全体を制御するためのシステムプログラムデータが格納される。画像制御ＣＰＵ８５内にはワークメモリとして使用される、図示しないＲＡＭが備えられ、ＲＡＭには制御コマンド等が一時記憶するようになされる。画像制御ＣＰＵ８５は電源がオンされると、フラッシュメモリ８３からシステムプログラムデータを読み出してシステムを起動し、操作部４８からの操作データＤ３に基づいて当該画像形成装置全体を制御するようになされる。
【００４８】
なお、画像制御ＣＰＵ８５は、現在装填されている転写紙３０の紙種情報を取得する紙種情報取得手段と、この紙種情報取得手段により取得した紙種情報に基づいて、ジョブが現在装填されている転写紙３０で出力可能か否かを判断する判断手段と、登録されたジョブを管理すると共に、登録されたジョブを所定の順序で実行するように制御する制御手段としても機能する。画像制御ＣＰＵ８５は、現在装填されている転写紙３０で出力可能と判断されたジョブを通知すると共に、現在装填されている転写紙３０で出力できないジョブの順序を出力可能なジョブの後に変更するように制御する。画像制御ＣＰＵ８５は、例えば、現在装填されている転写紙３０で出力可能なジョブを操作部４８の表示画面、または外部装置（図３参照）の表示画面に表示させてユーザに通知するように制御する。
【００４９】
画像制御ＣＰＵ８５には、フラッシュメモリ８３の他に、ハードディスク（以下大容量ＤＩＳＫという）８４が接続される。フラッシュメモリ８３や大容量ＤＩＳＫ８４等はデータの書き換えが可能で電源を切ってもデータが消去されないメモリである。
【００５０】
ＬＡＮ制御部８２は、ＬＡＮ等の通信回線に接続され、外部のコンピュータ等と通信処理する際に使用される（図３参照）。
【００５１】
図３は、外部装置との接続の一例を示す図である。図３に示すように、画像形成装置１００と外部装置（例えばＰＣ）２００が同一通信ネットワーク上にＬＡＮ１０１を介して接続され、互いに通信可能に構成されている。
【００５２】
また、ジョブの登録は、操作部４８で行うことが可能となされる。なお、ジョブの登録は、ＬＡＮなどを介して接続された外部装置２００等で行うことも可能である。また画像形成装置１００に登録されたジョブを表示することができる。
【００５３】
図４は、ジョブ登録操作画面の表示例を示す図である。図４に示す画面は、ジョブ予約画面であり、画面には「コピー予約できます」とのメッセージが表示される。画像形成装置１００のスタートボタンを押すと、原稿の読み取りが開始され、メッセージは「原稿読み取り中です」になり、操作画面にポップアップ画面が表示される（図示せず）。このポップアップ画面の継続ボタンを押下することで次の予約可能である。予約が完了するとポップアップ画面が閉じて、コピー画面となる。
【００５４】
予約されたジョブは画像メモリ３３に記憶される。この場合、画像データは、ＣＣＤ撮像装置５８により読み取りされ、読み取り処理部３１に送られ、次に、ＤＲＡＭ制御ＩＣ３５で処理され、圧縮ＩＣ３２で圧縮された後、圧縮メモリ３６に格納される。また、出力する際に、圧縮メモリ３６から画像データを読み出し、伸長ＩＣ３８で伸長処理し、書き込み処理部６０で処理し、ＬＤ６４に書き込み信号を供給する。
【００５５】
予約されたジョブは、ジョブキューに管理される。図５はジョブキューの構造を示す図である。図５（ａ）は、ジョブＡを出力中に、４つの予約ジョブ（ジョブＢ，Ｃ，Ｄ，Ｅ）を受け付けた状態を示している。また、図５（ｂ）は、ジョブＡが終了し、ジョブＢに出力順が移動した状態を示している。
【００５６】
図５に示すジョブキューは、後述する図１０のジョブリストに対応するもので、受け付けたジョブの投入（出力または予約）、完了したジョブの削除（キューのスライドも合わせて実行）等を行い、ジョブの状態表示を含めてシステム全体のジョブ管理を行う。
【００５７】
図６は、ジョブキューに格納されるジョブのデータ構成を示す図である。図６に示すように、予約されたジョブのデータは、ジョブデータと、ページデータとが含まれている。ジョブデータには、用紙情報が含まれている。管理データは、ジョブステータスである。
【００５８】
図７は、転写紙情報例を示す図である。図７に示すように、転写紙情報は、用紙サイズ、紙種、斤量、穴、色等情報が含まれている。
【００５９】
用紙サイズは、各トレイに装填されている転写紙３０のサイズ情報で、定形紙の場合、サイズコードにより設定される。不定形紙の場合、主走査、副走査のサイズ入力により設定される。紙種は、各トレイに装填されている転写紙３０の種類情報、例えば普通紙、塗工紙、上質紙、書籍用紙、ラフ紙、ＯＨＰなどである。斤量は、各トレイに装填されている転写紙３０の規定枚数当たりの重量である。穴は、各トレイに装填されている転写紙３０にパンチ穴があるかどうかの情報である。色は、各トレイに装填されている転写紙３０の色情報である。例えば、白、透明、ピンク、青、緑などから選択して設定される。これらの転写紙情報も不揮発メモリ３４に保持される。
【００６０】
図８は、ジョブの入れ替え例を示す図である。図８（ａ）は、ジョブＡを出力中、４つの予約ジョブ（ジョブＢ，Ｃ，Ｄ，Ｅ）を受け付けた状態を示している。また、図８（ｂ）は、ジョブＤの順序を１つ繰り上げた状態、即ちジョブＣとジョブＤを入れ替えた状態を示している。図８（Ｃ）は、ジョブＥの実行順序を一番高くした状態を示している。
【００６１】
図９は、実行可能ジョブの集約例を示す図である。図９（ａ）は、ジョブＡを出力中、４つの予約ジョブ（ジョブＢ，Ｃ，Ｄ，Ｅ）を受け付けた状態で、その内、ジョブＣとジョブＥは実行可能なジョブを示している。また、図９（ｂ）は、ジョブＣとジョブＥを集約して実行順序を先頭にした状態を示している。
【００６２】
上述したようなジョブの入れ替え、ジョブの集約は、操作部のジョブ管理画面、または外部装置２００で入れ替えまたは集約の指示を入力して実行される。
【００６３】
図１０は、予約中のジョブを確認、集約する際の操作画面の表示例を示している。図１０に示すように、「予約ジョブ」ボタンを押すと、登録されたジョブが表示される。この一覧表示の先頭が現在出力中のジョブであり、以降が登録の時間順で登録されているジョブの一覧である。前のジョブが出力終了次第、上から順番に出力を実行する。
【００６４】
また、図１０に示すように、画面の右側に「詳細」、「優先出力」、「優先」、「確認」、「集約」のボタンが設けられている。「詳細」ボタンＢ１を押すと、選択されたジョブの詳細設定内容が表示される。「優先出力」ボタンＢ２を押すと、選択されたジョブの出力順序を先頭に変更する。「優先」ボタンＢ３を押すと、選択されたジョブの順序を１つ繰り上げる。「確認」ボタン（第１の入力手段）Ｂ４を押すと、現在装填されている転写紙３０で出力可能なジョブを表示する。例えば、現在装填されている転写紙３０で出力可能なジョブの表示色を変更してユーザに通知するようになされる。また、「集約」ボタン（第２の入力手段）Ｂ５を押すと、現在装填されている転写紙３０で出力可能なジョブを集約して、出力順序を先頭に変更するようになされる。
【００６５】
続いて、本発明に係わるジョブ管理方法について、画像形成装置１００において現在装填されている転写紙３０で出力可能なジョブの表示および集約の動作例を説明する。図１１は、画像形成装置１００におけるジョブ管理の動作例を示すフローチャートである。
【００６６】
本実施の形態では、ユーザの指示により登録されたジョブに対して現在装填されている転写紙３０で出力可能なジョブの表示および集約を実行する場合を前提とする。
【００６７】
これを前提にして、まず、図１１に示すフローチャートのステップＳ１１で、「確認」ボタンＢ４が押されたか否かを判断する。ここで、「確認」ボタンＢ４が押された、即ち、ＹＥＳの場合は、次のステップＳ１２で、登録ジョブがあるか否かを判断する。登録ジョブがない場合には、動作を終了する。一方、登録ジョブがある場合には、ステップＳ１３で、現在装填されている転写紙３０の情報を取得する。
【００６８】
次に、ステップＳ１４で、全てのジョブ検索済みである否かを判断する。ここで、全てのジョブ検索済みではないと判断された場合には、ステップＳ１５へ進む。ステップＳ１５で、ジョブキューからジョブデータを取得する。例えば、ジョブデータ中の転写紙情報を取得する。
【００６９】
次に、ステップＳ１６で、転写紙情報は一致するか否かを判断する。ここで、ジョブデータ中の転写紙情報と現在装填されている転写紙３０の情報とを比較して一致するか否かを判断する。一致すると判断された場合には、次のステップＳ１７で、そのジョブを実行可能ジョブとして記憶する。一致しないと判断された場合には、ステップＳ１４に戻り、次のジョブがある場合は、上述した処理を繰り返す。
【００７０】
一方、ステップＳ１４で、全てのジョブ検索済みと判断された場合には、ステップＳ１８で、現在装填されている転写紙３０で出力可能なジョブを表示する。例えば、現在装填されている転写紙３０で出力可能なジョブの表示色を変更して表示する。これにより、ユーザが実行可能なジョブを確認できる。
【００７１】
次に、ステップＳ１９で、「集約」ボタンＢ５が押されたか否かを判断する。ここで、「集約」ボタンＢ５が押されたと判断された場合は、ステップＳ２０で、実行可能なジョブを集約して出力順序を先頭に変更する。そして、動作を終了する。
【００７２】
このように本実施の形態においては、現在装填されている転写紙３０の紙種情報を取得する紙種情報取得手段と、取得した紙種情報に基づいて、ジョブが現在装填されている転写紙３０で出力可能か否かを判断する判断手段と、制御手段とを備え、この制御手段１５は、判断手段により現在装填されている転写紙３０で出力可能と判断されたジョブを通知すると共に、現在装填されている転写紙３０で出力できないジョブの順序を出力可能なジョブの後に変更するようになされる。例えば、「確認」ボタンＢ４が押された場合、現在装填されている転写紙３０で出力可能なジョブを表示するようになされる。また、「集約」ボタンＢ５が押された場合、実行可能なジョブを集約して出力順序を先頭に、即ち現在装填されている転写紙３０で出力できないジョブの順序を出力可能なジョブの後に変更するようになされる。
【００７３】
これにより、ユーザにジョブの入れ替えの目安を示すことで、ユーザが実行可能なジョブを確認でき、また、現在装填されている転写紙３０で出力できないジョブの順序を出力可能なジョブの後に変更することで、ジョブを効率的に処理することができる。また、ユーザの使い勝手を向上することができる。
【００７４】
また、現在装填されている転写紙３０で出力可能なジョブを操作部または接続される外部装置２００の表示画面に表示させて通知するため、ユーザが実行可能なジョブを容易に確認することが可能となる。
【００７５】
なお、上述した実施の形態においては、「確認」ボタンＢ４により表示指示が入力された場合、出力可能なジョブを表示し、「集約」ボタンＢ５によりジョブの集約指示が入力された場合、現在装填されている転写紙３０で出力できないジョブの順序を出力可能なジョブの後に変更する例について説明したが、これに限定されるものではない。例えば、所定の操作ボタンを押すと、出力可能なジョブを表示し、さらに自動的に現在装填されている転写紙３０で出力できないジョブの順序を出力可能なジョブの後に変更するようにしてもよい。
【産業上の利用可能性】
【００７６】
以上のように、この発明に係る画像形成装置およびジョブ管理方法は、ユーザが実行可能なジョブを確認する場合、および現在装填されている転写紙で出力可能なジョブを集約して先に出力させ、ジョブを効率的に処理する場合に利用できる。
【図面の簡単な説明】
【００７７】
【図１】実施の形態の画像形成装置の構成例を示す図である。
【図２】画像形成装置１００の制御系の構成例を示すブロック図である。
【図３】外部装置との接続例を示す図である。
【図４】ジョブ登録操作画面の表示例を示す図である。
【図５】ジョブキューの構造を示す図である。
【図６】ジョブデータの構成例を示す図である。
【図７】転写紙情報例を示す図である。
【図８】ジョブの入れ替え例を示す図である。
【図９】実行可能ジョブの集約例を示す図である。
【図１０】予約中のジョブを確認、集約する際の操作画面の表示例を示している。
【図１１】画像形成装置１００におけるジョブ管理の動作例を示すフローチャートである。
【符号の説明】
【００７８】
１１  原稿読取手段
１２  通信制御部
１３  ＤＲＡＭ制御ＩＣ
１４  操作部制御部
１５  制御手段
１６  画像メモリ
１７  コントローラ制御部
２１  画像処理手段
２３  給紙手段
３３  画像メモリ（記憶手段）
３５  ＤＲＡＭ制御ＩＣ
４８  操作部（登録手段、第１の入力手段、第２の入力手段）
６０  書き込み処理部
７０  画像形成手段
８２  通信制御部
８３  フラッシュメモリ
８４  大容量ＤＩＳＫ
８５  画像制御ＣＰＵ（紙種情報取得手段、判断手段）
９０  後処理装置
１００  画像形成装置
１０１  ＬＡＮ
２００  外部装置
【図１】
2006033066.tif 000003
【図２】
2006033066.tif 000004
【図３】
2006033066.tif 000005
【図４】
2006033066.tif 000006
【図５】
2006033066.tif 000007
【図６】
2006033066.tif 000008
【図７】
2006033066.tif 000009
【図８】
2006033066.tif 000010
【図９】
2006033066.tif 000011
【図１０】
2006033066.tif 000012
【図１１】
2006033066.tif 000013